(57)【要約】  【課題】  電子機器の本体と電池収納部カバーとの隙間が変動してもその変動に十分対応して、電子機器の構成部材への過度な負荷を低減し、かつ高い防水性を図る。  【解決手段】  本発明は、電子機器に電池を収納する電池収納部に対向して固定される電池収納部カバー２０であって、電池収納部の外側を囲むように配置され、電池収納部の外周面と密着して電池収納部内への液体の浸入を防止する環状の防水シール材３１と、防水シール材３１を、裏面の所定位置に規制する第一規制部２８，２９とを備え、防水シール材３１の内部に、空間３２若しくはその外層よりもクッション性の高いコア層を備える電池収納部カバー２０である。【選択図】図７
2012059552.tif 000002
【特許請求の範囲】
【請求項１】
電子機器に電池を収納する電池収納部に対向して固定される電池収納部カバーであって、
上記電池収納部の外側を囲むように配置され、上記電池収納部の外周面と密着して上記電池収納部内への液体の浸入を防止する環状の防水シール材と、
上記防水シール材を、裏面の所定位置に規制する第一規制部と、
を備え、
上記防水シール材は、その内部に空間若しくはその外層よりもクッション性の高いコア層を有することを特徴とする電池収納部カバー。
【請求項２】
前記防水シール材は、前記第一規制部と固着されていることを特徴とする請求項１に記載の電池収納部カバー。
【請求項３】
前記第一規制部は、溝を有し、その溝内に前記防水シール材を嵌めこむ形状を有することを特徴とする請求項１または請求項２に記載の電池収納部カバー。
【請求項４】
請求項１から請求項３のいずれか１項に記載の電池収納部カバーを備えることを特徴とする電子機器。
【請求項５】
電池を収納する電池収納部と、
上記電池収納部の外側を囲むように配置され、上記電池収納部の外周面と上記電池収納部を覆う電池収納部カバーとの間に密着して上記電池収納部内への液体の浸入を防止する環状の防水シール材と、
上記防水シール材を、上記電池収納部の上記外周面の所定位置に規制する第二規制部と、
を備え、
上記防水シール材は、その内部に空間若しくはその外層よりもクッション性の高いコア層を有することを特徴とする電子機器。
【請求項６】
前記防水シール材は、前記第二規制部と固着されていることを特徴とする請求項５に記載の電子機器。
【請求項７】
前記第二規制部は、溝を有し、その溝内に前記防水シール材を嵌めこむ形状を有することを特徴とする請求項５または請求項６に記載の電子機器。
【発明の詳細な説明】
【技術分野】
【０００１】
本発明は、電池を収納する電池収納部を覆う電池収納部カバーおよび電子機器に関する。
【背景技術】
【０００２】
最近では、防水性の高い電子機器（例えば、携帯電話）の需要が高くなってきている。電子機器の防水性を高めるには、電池の出し入れの度に開閉する電池収納部カバーと電池収納部との隙間の防水性が不可欠である。電池収納部への水の浸入は、即、電気ショートにつながるからである。電池収納部への防水を図る代表的な構造として、例えば、電池収納部の外周面と電池収納部カバーとの隙間に、弾性材料から成る環状の防水シール材を挟む構造が知られている（例えば、特許文献１を参照）。
【先行技術文献】
【特許文献】
【０００３】
【特許文献１】特開２００２−１３４９４８
【発明の概要】
【発明が解決しようとする課題】
【０００４】
しかし、電池収納部を備える電子機器の本体および電池収納部カバーの双方の設計寸法のばらつきに起因して、当該本体と電池収納部カバーとの隙間が変動しやすい。このため、防水シール材に対する圧力も変動しやすい。例えば、隙間が防水シール材の厚みより小さすぎる場合には、防水シール材が十分に変形しないため、電池収納部カバーが本体に固定しにくい、あるいは固定できても電池収納部カバーの固定部位に負荷がかかり、破損の原因になりやすいという問題がある。加えて、変形量の小さな防水シール材は、電子機器の薄型化の障害にもつながる。一方、隙間が防水シール材の厚みより大きすぎる場合には、防水シール材と電池収納部の外周面とのシールが不十分となり、防水性が低下するという問題がある。
【０００５】
本発明は、かかる問題を解消すべくなされたものであって、電子機器の本体と電池収納部カバーとの隙間が変動してもその変動に十分対応して、電子機器の構成部材への過度な負荷を低減し、かつ高い防水性を図ることのできる電池収納部カバーおよび電子機器を提供することを目的とする。
【課題を解決するための手段】
【０００６】
上記目的を達成するため、本発明の一実施形態は、電子機器に電池を収納する電池収納部に対向して固定される電池収納部カバーであって、電池収納部の外側を囲むように配置され、電池収納部の外周面と密着して電池収納部内への液体の浸入を防止する環状の防水シール材と、防水シール材を、裏面の所定位置に規制する第一規制部とを備え、防水シール材がその内部に空間若しくはその外層よりもクッション性の高いコア層を有する電池収納部カバーである。
【０００７】
本発明の別の一実施形態は、防水シール材を第一規制部と固着した電池収納部カバーである。
【０００８】
本発明の別の一実施形態は、第一規制部が溝を備え、その溝内に防水シール材を嵌めこむ形状を有する電池収納部カバーである。
【０００９】
本発明の一実施形態は、上述のいずれかの電池収納部カバーを備える電子機器である。
【００１０】
本発明の一実施形態は、電池を収納する電池収納部と、電池収納部の外側を囲むように配置され、電池収納部の外周面と電池収納部を覆う電池収納部カバーとの間に密着して電池収納部内への液体の浸入を防止する環状の防水シール材と、防水シール材を、電池収納部の外周面の所定位置に規制する第二規制部とを備え、防水シール材がその内部に空間若しくはその外層よりもクッション性の高いコア層を有する電子機器である。
【００１１】
本発明の別の一実施形態は、防水シール材を第二規制部と固着した電子機器である。
【００１２】
本発明の別の一実施形態は、第二規制部が溝を有し、その溝内に防水シール材を嵌めこむ形状を有する電子機器である。
【発明の効果】
【００１３】
本発明によれば、電子機器の本体と電池収納部カバーとの隙間が変動しても、その変動に十分対応して、電子機器の構成部材への過度な負荷を低減し、かつ高い防水性を図ることができる。
【図面の簡単な説明】
【００１４】
【図１】図１は、本発明の第一の実施形態に係る電子機器の電池収納状況を示す斜視図である。
【図２】図２は、図１に示す電子機器の背面図である。
【図３】図３は、図１に示す電池収納部カバーを、その裏面側からみた一部分解斜視図である。
【図４】図４は、図３に示す電池収納部カバーを組み立てた状態の裏面図である。
【図５】図５は、図２に示す電子機器の本体側のみをＡ−Ａ線で切断した断面であって、電池収納部カバーを本体に取り付けようとする状況を示す断面図である。
【図６】図６は、図５に示す状態から、電池収納部カバーを本体に取り付け完了した状態を示す断面図である。
【図７】図７は、図５に示す電池収納部カバーを本体に取り付ける前後における防水シール材の変形状況を示す断面図である。
【図８】図８は、本発明の第二の実施形態に係る電子機器の電池収納部カバーを本体に取り付ける前後における防水シール材の変形状況を示す断面図である。
【図９】図９は、本発明の第三の実施形態に係る電子機器の電池収納部カバーを本体に取り付ける前後における防水シール材の変形状況を示す断面図である。
【図１０】図１０は、図９に示す防水シール材と異なる形状を有する防水シール材を用いた場合の、図９と同様の断面図である。
【図１１】図１１は、第四の実施形態に係る電子機器の本体を図２に示すＡ−Ａ線と同様の線で切断した断面図である。
【図１２】図１２は、図１１に示す領域Ｂにおいて、電池収納部カバーを本体に取り付ける前後における防水シール材の変形状況を示す断面図である。
【発明を実施するための形態】
【００１５】
次に、本発明の電池収納部カバーおよび電子機器の各実施形態について、図面を参照しながら説明する。なお、以下、電子機器の実施形態の説明の中で、電池収納部カバーの実施形態も説明する。
【００１６】
＜第一の実施形態＞
図１は、本発明の第一の実施形態に係る電子機器の電池収納状況を示す斜視図である。図２は、図１に示す電子機器の背面図である。
【００１７】
本発明の第一の実施形態に係る電子機器の一例である携帯電話機器１は、折りたたみ型の機器であり、操作部を備える薄型で略直方体の本体１ａに、ディスプレイを備える薄型で略直方体のディスプレイ部１ｂを、回動部を介して結合した構造を有する。本体１ａは、操作部と反対側に相当する背面側に、薄型で略直方体の電池２を収納する電池収納部１０と、電池収納部１０を覆う電池収納部カバー２０を着脱可能に備える。電池収納部１０の周囲は、電池収納部カバー２０を取り付けた状態で、本体１ａの裏面および両側面が共に略平面になるように、電池収納部カバー２０の裏面（カバー裏面）２０ａの形状に沿った立体形状を備える。具体的には、次のとおりである。電池収納部１０の外周には、略水平な外周面１１を備える。外周面１１の面内左右方向および下方向の縁部は、本体１ａの内方に窪みかつ幅の狭い段差面１６を備える。外周面１１の面内上方向の縁部は、電池収納部カバー２０の厚さにほぼ等しい厚さだけ一段高く形成されている。外周面１１は、その面内の左右各方向に、該面内上下方向に間隔をあけて係合凹部１２，１３を、それぞれ備える。また、外周面１１は、その面内の下方向に、１つの係合凹部１４を備える。
【００１８】
電池収納部カバー２０は、その面内左右方向および下方向に連続形成される側面２１を備える。側面２１は、それにより囲まれる内側の面よりも電池２側に突出しており、電池収納部カバー２０を本体１ａに取り付けた状態において本体１ａ側に形成される段差面１６と当接可能な突出面２６を備える。電池収納部カバー２０は、その面内上方に、突出する爪部２５を備える。爪部２５は、本体１ａの外周面１１の面内上方において形成される係合凹部１５（図５を参照）に挿入可能な位置と形状に形成されている。なお、電池収納部カバー２０は、その外面であって爪部２５に近い位置に、当該外面からわずかに突出する線状の凸部２７を備える。凸部２７は、電池収納部カバー２０の着脱の際に、ユーザが操作しやすいように形成されている。
【００１９】
図３は、図１に示す電池収納部カバーを、その裏面側からみた一部分解斜視図である。図４は、図３に示す電池収納部カバーを組み立てた状態の裏面図である。
【００２０】
電池収納部カバー２０は、電池収納部１０への液体（水など）の浸入を防止する防水シール材３１を備える。この実施形態では、防水シール材３１は、電池収納部カバーのカバー裏面２０ａに着脱可能であるが、接着等の方法により、カバー裏面２０ａと一体化し、容易に分離できないようにしても良い。
【００２１】
電池収納部カバー２０は、カバー裏面２０ａであって突出面２６に近い位置に、それぞれ１個ずつの係合凸部２２，２３と、１個の係合凸部２４とを備える。２組の係合凸部２２，２３は、本体１ａの外周面１１に形成される２組の係合凹部１２，１３と係合可能な位置と大きさで形成されている。同様に、１つの係合凸部２４も、本体１ａの外周面１１に形成される１つの係合凹部１４と係合可能な位置と大きさで形成されている。電池収納部カバー２０を本体１ａに取り付ける際には、係合凸部２２，２３，２４をそれぞれ係合凹部１２，１３，１４に挿入し、電池収納部カバー２０をその面内上方に向けてスライドさせて、爪部２５を本体１ａ側の係合凹部１５に挿入する。
【００２２】
電池収納部カバー２０の係合凸部２２，２３，２４に囲まれる内側の領域には、外側から内側に向かって順に、それぞれ、四角枠形状の突出線部２８および突出線部２９を備える。突出線部２８は、突出線部２９よりも、わずかに大きな周長となるように形成されている。防水シール材３１は、突出線部２８と突出線部２９との間に形成される溝３０に嵌め込んで取り付けられる。このため、溝３０の形状および大きさは、防水シール材３１とほぼ同じ形状および大きさである。突出線部２８、突出線部２９および溝３０は、防水シール材３１をカバー裏面２０ａの所定位置に規制する第一規制部であり、本体１ａ側に形成される外周面１１内でも容易に動かないようにしている。突出線部２８，２９は、防水シール材３１の位置を規制すると共に、電池収納部カバー２０と本体１ａとの間を結ぶ方向（これを、電池収納部カバー２０の厚さ方向と同じ方向なので、以後、「厚さ方向」という）にて防水シール材３１の厚みが変動しても外周面１１に接触しない高さに形成されている。
【００２３】
図５は、図２に示す電子機器の本体側のみをＡ−Ａ線で切断した断面であって、電池収納部カバーを本体に取り付けようとする状況を示す断面図である。図６は、図５に示す状態から、電池収納部カバーを本体に取り付け完了した状態を示す断面図である。図７は、図５に示す電池収納部カバーを本体に取り付ける前後における防水シール材の変形状況を示す断面図である。
【００２４】
防水シール材３１は、図５〜図７に示すように、中空構造を有するシール材である。防水シール材３１は、その外側をエラストマーにて形成される外層で構成し、当該外層の内側を空間３２で構成する。エラストマーとしては、例えば、シリコーンゴム、ウレタンゴム、エチレンプロピレンジエンゴム（ＥＰＤＭ）、フッ素ゴム、ニトリルゴム（ＮＢＲ）、天然ゴム等を例示できる。空間３２は、好適に、防水シール材３１の環状経路に沿って連続形成されている。防水シール材３１は、上記のように、その内部に空間３２を有しているため、外層部分が容易に変形可能である。このため、図７に示すように、防水シール材３１は、電池収納部カバー２０を本体１ａに取り付けた際に、距離Ｌだけ圧縮変形し、外から電池収納部カバー２０と本体１ａの外周面１１との隙間に液体が浸入するのを有効に防止することができる。また、防水シール材３１の変形容易な構造は、上記隙間が大きい場合にも有効に寄与する。電池収納部カバー２０と本体１ａの設計寸法公差上、最も隙間が大きくなる場合を想定して、防水シール材３１の厚み（この実施形態では、防水シール材の断面形状が円であるため、直径を意味する）を選択することにより、その想定上の隙間よりも実際の隙間が狭くなっても、防水シール材３１はその厚さ方向に容易に圧縮変形して、高い防水性を発揮できる。
【００２５】
＜第二の実施形態＞
【００２６】
次に、本発明の電池収納部カバーおよび電子機器の第二の実施形態について説明する。第二の実施形態は、防水シール材の構造以外については、第一の実施形態と共通である。このため、第二の実施形態において、第一の実施形態と共通する部分の説明を省略する。
【００２７】
図８は、本発明の第二の実施形態に係る電子機器の電池収納部カバーを本体に取り付ける前後における防水シール材の変形状況を示す断面図である。
【００２８】
第二の実施形態において、防水シール材３１は、その外層の内部に、当該外層よりもクション性の高いコア層３３を有する。第一の実施形態と異なり、第二の実施形態では、防水シール材３１は、その外層の内部に空間３１を設けずに、コア層３３を備える。コア層３３は、例えば、発泡ウレタンゴム、軟質のシリコーンゴム等にて構成可能である。ここで、「クッション性が高い」とは、加圧時と非加圧時との間での変形量が大きいことを意味する。
【００２９】
＜第三の実施形態＞
【００３０】
次に、本発明の電池収納部カバーおよび電子機器の第三の実施形態について説明する。第三の実施形態は、防水シール材の形状以外については、第一の実施形態と共通である。このため、第三の実施形態において、第一の実施形態と共通する部分の説明を省略する。
【００３１】
図９は、本発明の第三の実施形態に係る電子機器の電池収納部カバーを本体に取り付ける前後における防水シール材の変形状況を示す断面図である。図１０は、図９に示す防水シール材と異なる形状を有する防水シール材を用いた場合の、図９と同様の断面図である。
【００３２】
第三の実施形態に係る電池収納部カバーおよび電子機器は、図９に示すように、その断面が略半球形状の外形を有しその内部に空間４２を有する防水シール材４１を備える電池収納部カバー２０および当該カバー２０を備える携帯電話機器１である。また、図１０に示すように、防水シール材を、その断面が略三角形状の外形を有しその内部に空間５２を有する防水シール材５１としても良い。
【００３３】
さらに、図示していないが、図９および図１０に示す空間４２，５２に、図８に示すコア層３３と同様のクッション性の高い材料から成るコア層を形成した防水シール材を用いても良い。
【００３４】
＜第四の実施形態＞
【００３５】
次に、本発明の電池収納部カバーおよび電子機器の第四の実施形態について説明する。第四の実施形態は、防水シール材およびそれを規制する部材を電池収納部カバーに取り付けずに、電子機器の本体側に取り付けていることを除き、第一の実施形態と共通である。このため、第四の実施形態において、第一の実施形態と共通する部分の説明を省略する。
【００３６】
図１１は、第四の実施形態に係る電子機器の本体を図２に示すＡ−Ａ線と同様の線で切断した断面図である。図１２は、図１１に示す領域Ｂにおいて、電池収納部カバーを本体に取り付ける前後における防水シール材の変形状況を示す断面図である。
【００３７】
図１１および図１２に示すように、電子機器の一例である携帯電話機器１の本体１ａは、電池収納部１０の外周を囲む略水平な外周面１１に、外側から内側に向かって順に、それぞれ、四角枠形状の突出線部６８および突出線部６９を備える。突出線部６８は、突出線部６９よりも、わずかに大きな周長になるように形成されている。防水シール材３１は、突出線部６８と突出線部６９との間に形成される溝７０に取り付けられる。突出線部６８、突出線部６９および溝７０は、防水シール材３１を電池収納部１０の外周面１１の所定位置に規制する第二規制部であり、カバー裏面２０ａ内でも容易に動かないようにしている。突出線部６８，６９は、防水シール材３１の位置を規制すると共に、電池収納部カバー２０と本体１ａとの隙間がその厚さ方向にて変動しても電池収納部カバー２０の裏面２０ａに接触しない高さに形成されている。
【００３８】
＜その他の実施形態＞
以上、本発明の電池収納部カバーおよび電子機器の好適な各実施形態を説明してきたが、本発明は、上述の各実施形態に限定されず、種々の変形を施して実施することができる。
【００３９】
例えば、防水シール材３１，４１，５１は、環状であれば、四角枠形状に限定されない。例えば、防水シール材３１，４１，５１は、円環状、五角枠形状等であっても良い。コア層３３を有する防水シール材３１，４１，５１の場合、外層が完全にコア層３３を囲っていなくても良く、例えば、コア層３３が溝３０の底部側に露出し、その部分に外層が無くても良い。
【００４０】
上述の各実施形態では、防水シール材３１，４１，５１の位置を規制する第一規制部および第二規制部は、それぞれ、溝３０と突出線部２８，２９、および溝７０と突出線部６８，６９から構成されているが、カバー裏面２０ａあるいは本体１ａの外周面１１に、その内方に窪む溝を形成し、その溝を第一規制部若しくは第二規制部として、防水シール材３１，４１，５１の位置を規制させても良い。さらに、防水シール材３１，４１，５１を、突出線部２８，２９あるいは突出線部６８，６９に挟まれて形成される各溝３０，７０に嵌め込む以外の方法、例えば、接着材（接着剤、両面テープ等を含む）を介在させる方法によって固着しても良い。
【００４１】
また、第一規制部または第二規制部を単一の突出線部で構成し、防水シール材３１，４１，５１の周囲長を当該突出線部の周囲長よりわずかに小さくして、当該突出線部の外側に防水シール材３１，４１，５１を配置するようにしても良い。この場合、防水シール材３１，４１，５１が内側に収縮する力で突出線部に固定されるので、防水シール材３１，４１，５１の位置の規制が可能となる。さらに、突出線部２８，２９あるいは突出線部６８，６９を設けずに、単に接着材にて第一規制部あるいは第二規制部を構成し、当該接着材により防水シール材３１，４１，５１を電池収納部カバー２０または本体１ａの外周面１１に固定しても良い。なお、溝３０，７０は、第一規制部および第二規制部から除外しても良い。
【００４２】
第四の実施形態は、第一の実施形態における防水シール材３１を本体１ａに固定する形態であるが、第二の実施形態および第三の実施形態にて説明した防水シール材３１，４１，５１を本体１ａ側に固定する形態を採用しても良い。
【００４３】
本発明は、携帯電話機器１以外に、電池を収納するタイプの如何なる電子機器にも応用可能であって、例えば、固定電話機器、ホームオーディオ機器、車載用オーディオ機器、カーナビゲーション機器、バッテリーを搭載する電気自動車等の機器にも応用できる。
【産業上の利用可能性】
【００４４】
本発明は、電池収納部内の電池を覆う電池収納部カバーおよびそれを取り付ける電子機器に用いることができる。
【符号の説明】
【００４５】
１      携帯電話機器（電子機器の一例）
２      電池
１０    電池収納部
１１    外周面
２０    電池収納部カバー
２０ａ  裏面
２８，２９  突出線部（第一規制部の構成部）
３０    溝（第一規制部の構成部）
３１    防水シール材
３２    空間
３３    コア層
４１    防水シール材
４２    空間
５１    防水シール材
５２    空間
６８，６９  突出線部（第二規制部の構成部）
７０    溝（第二規制部の構成部）
【図１】
2012059552.tif 000003
【図２】
2012059552.tif 000004
【図３】
2012059552.tif 000005
【図４】
2012059552.tif 000006
【図５】
2012059552.tif 000007
【図６】
2012059552.tif 000008
【図７】
2012059552.tif 000009
【図８】
2012059552.tif 000010
【図９】
2012059552.tif 000011
【図１０】
2012059552.tif 000012
【図１１】
2012059552.tif 000013
【図１２】
2012059552.tif 000014